(57)【要約】 【課題】装飾性を高める。写真の表示の量を拡大する。【解決手段】正五角形が１２個と正六角形が２０個との表示面１１，１２が設けられた多角面体または球体からなるサッカーボール型の表示物体２を備え、表示面１１，１２の少なくとも一部に個別に異なる写真３を表示してなる。相対する正五角形の２個の表示面１１を天部，地部として他の表示面１１，１２に表示される写真３の天地を揃えた。【選択図】        図１
0003104565.tif 000002
【実用新案登録請求の範囲】
【請求項１】
正五角形が１２個と正六角形が２０個との表示面が設けられた多角面体または球体からなるサッカーボール型の表示物体を備え、表示面の少なくとも一部に個別に異なる写真を表示してなるサッカーボール型アルバムにおいて、相対する正五角形の２個の表示面を天部，地部として他の表示面に表示される写真の天地を揃えたことを特徴とするサッカーボール型アルバム。
【請求項２】
請求項１のサッカーボール型アルバムにおいて、表示物体は、少なくとも表面部分が表示面を平面に展開可能な連続片の接合で形成され、連続片は、天部，地部に設定された正五角形の２個の表示面とこの２個の表示面に隣接する正六角形の５個ずつ計１０個の表示面を除いて、正五角形の１個の表示面と正六角形の１個の表示面とが幅方向に隣接されて帯形に配列されていることを特徴とするサッカーボール型アルバム。
【考案の詳細な説明】
【技術分野】
【０００１】
本考案は、サッカーボールの外観で写真を表示するサッカーボール型アルバムに係る技術分野に属する。
【背景技術】
【０００２】
最近、サッカーボールの外観で写真を表示するサッカーボール型アルバムが提供されてきている。このサッカーボール型アルバムは、単に表示用，置物としての使用に限定されるものもあるが、実際のサッカープレイに使用できるようにしたものもある。
【０００３】
従来、サッカーボール型アルバムとしては、例えば、図３，図４に示すように、正五角形が１２個と正六角形が２０個との表示面１１，１２が設けられた多角面体または球体からなるサッカーボール型の表示物体２を備え、表示物体２の少なくとも表面部分が表示面１１，１２を平面に展開可能な連続片１の接合で形成されてなるものが知られている。
【０００４】
この従来のサッカーボール型アルバムは、サッカーボール型の表示物体２が正二十面体の頂部を切落としたような形状であることから、菱型が連続する正二十面体の展開図に正五角形，正六角形を作図することで、表示物体２を図４に示すような正五角形が１２個と正六角形が２０個との表示面１１，１２を平面に展開可能な連続片１の接合で形成している。なお、この連続片１については、表示物体２の全体を構成する場合もあるし、球体の内側材の表面に貼着され表示物体２の一部を構成する場合もある。
【特許文献１】実開平６−３１７６３号公報
【考案の開示】
【考案が解決しようとする課題】
【０００５】
前述の従来のサッカーボール型アルバムでは、回転させればいずれの表示面１１，１２も見ることができることから、連続片１の表示面１１，１２に個別に適当な向きで写真３を配置してしまうため、各写真３を見比べる場合に向きが不揃いで装飾性が低いとともに、見にくい部分が多く写真の表示の量も実質的に制約されてしまうという問題点がある。
【０００６】
本考案は、このような問題点を考慮してなされたもので、装飾性が高く写真の表示の量が拡大されるサッカーボール型アルバムを提供することを課題とする。
【課題を解決するための手段】
【０００７】
前述の課題を解決するため、本考案に係るサッカーボール型アルバムは、実用新案登録請求の範囲の各請求項に記載の手段を採用する。
【０００８】
即ち、請求項１では、正五角形が１２個と正六角形が２０個との表示面が設けられた多角面体または球体からなるサッカーボール型の表示物体を備え、表示面の少なくとも一部に個別に異なる写真を表示してなるサッカーボール型アルバムにおいて、相対する正五角形の２個の表示面を天部，地部として他の表示面に表示される写真の天地を揃えたことを特徴とする。
【０００９】
この手段では、回転させればいずれの表示面も見ることができるという概念を覆して、表示物体に天部，地部を設定して表示面に表示される写真の天地を揃えている。天部，地部は、相対的に面積の小さい正五角形の表示面が選択される。
【００１０】
また、請求項２では、請求項１のサッカーボール型アルバムにおいて、表示物体は、少なくとも表面部分が表示面を平面に展開可能な連続片の接合で形成され、連続片は、天部，地部に設定された正五角形の２個の表示面とこの２個の表示面に隣接する正六角形の５個ずつ計１０個の表示面を除いて、正五角形の１個の表示面と正六角形の１個の表示面とが幅方向に隣接されて帯形に配列されていることを特徴とする。
【００１１】
この手段では、連続片における天部，地部の位置が明確になる。
【考案の効果】
【００１２】
本考案に係るサッカーボール型アルバムは、回転させればいずれの表示面も見ることができるという概念を覆して、表示物体に天部，地部を設定して表示面に表示される写真の天地を揃えているため、各写真を見比べる場合に向きが揃って装飾性が高くなる効果がある。また、天部，地部として相対的に面積の小さい正五角形の表示面が選択されるため、天地を揃えたこととの相乗で、見にくい部分が少なく写真の表示の量の制約がなくなって写真の表示の量が拡大される効果がある。
【００１３】
さらに、請求項２として、連続片における天部，地部の位置が展開状態で明確になるため、各表示面に対する写真のレイアウトが容易になる効果がある。
【考案を実施するための最良の形態】
【００１４】
以下、本考案に係るサッカーボール型アルバムを実施するための最良の形態を図面に基づいて説明する。
【００１５】
この形態は、前述の図３，図４に示したサッカーボール型アルバムと同様に、正五角形が１２個と正六角形が２０個との表示面１１，１２が設けられた多角面体または球体からなるサッカーボール型の表示物体２を備え、表示物体２の少なくとも表面部分が表示面１１，１２を平面に展開可能な連続片１の接合で形成されてなるものが知られている。
【００１６】
ただし、この形態の表示物体２には、単に表示用，置物として置いた場合に上部となる天部２１と、単に表示用，置物として置いた場合に下部となる地部２２とが設定されている。天部２１，地部２２としては、相対する正五角形の２個の表示面２２が選択されている。
【００１７】
そして、連続片１は、図２に詳細に示されるように、表示物体２の天部２１，地部２２に設定された正五角形の２個の表示面１１とこの２個の表示面１１に隣接する正六角形の５個ずつ計１０個の表示面１２を除いて、正五角形の１個の表示面１１と正六角形の１個の表示面１２とが幅方向に隣接されて帯形に配列されている。
【００１８】
この形態によると、正五角形の１個の表示面１１と正六角形の１個の表示面１２とが幅方向に隣接されて帯形に配列されているため、表示面１１，２の表示物体２の天部２１，地部２２に対する向きである天地が揃えられ、連続片１の展開状態における表示面１１，２の天地が明確になる。図２には、念のため天を白丸で表示し地を黒丸で表示しているが、このような表示を付さなくても天地を容易に把握することができる。
【００１９】
この結果、連続片１の表示面１１，１２の少なくとも一部に個別に異なる人物，風景その他の写真３を表示する際に、写真３の天地を示面１１，１２の天地に合わせるレイアウトが容易になる。写真３の表示手段としては、連続片１の材質に対応して印刷，転写等を選択することができる。また、写真３のレイアウトとしては、例えば、コンピュータで正五角形，正六角形にフレームカットした写真３を連続片１をフレームとして表示面１１，１２に貼付ける画像加工技術を用いることができる。
【００２０】
写真３の天地が揃えられた表示物体２では、各写真３を見比べる場合に、回転させなくても向きが揃っていて装飾性が高くなる。特に、表示物体２の天部２１，地部２２に設定された正五角形の２個の表示面１１とこの２個の表示面１１に隣接する正六角形の５個ずつ計１０個の表示面１２に必要な装飾を施し、残る表示面１１，１２に写真３を表示すると、表示物体２の周方向に写真３が帯形に配列されて装飾性が高くなる。
【００２１】
また、表示物体２に設定された相対的に見えにくくなる天部２１，地部２２となった表示面１１は、正五角形で正六角形の表示面１２よりも面積が小さい。そして、相対的に面積の大きな正六角形の表示面１２の全てが見やすい位置に配置されている。従って、写真３の天地を揃えたこととの相乗で、見にくい部分が少なく写真３の表示の量の制約がなくなって、写真３の表示の量が拡大されることになる。
【００２２】
以上、図示した各例の外に、連続片１の全ての表示面１１，１２に写真３を表示することも可能である。
【図面の簡単な説明】
【００２３】
【図１】本考案に係るサッカーボール型アルバムを実施するための最良の形態の正面図である。
【図２】図１の要部の展開図である。
【図３】従来例の正面図である。
【図４】図３の要部の展開図である。
【符号の説明】
【００２４】
１            連続片
１１          表示面（正五角形の）
１２          表示面（正六角形の）
２            表示物体
２１          天部
２２          地部
３            写真
【図１】
0003104565.tif 000003
【図２】
0003104565.tif 000004
【図３】
0003104565.tif 000005
【図４】
0003104565.tif 000006